(57)【要約】      （修正有）【課題】複数の蓄電素子を備えていても使用時に外部から伝わる振動によって共振し難い蓄電装置を提供する。【解決手段】第一方向に並ぶ複数の蓄電素子１０と、複数の蓄電素子のうちの隣り合う二つの蓄電素子の間に配置される隣接部材２と、第一方向と直交する第二方向において複数の蓄電素子と対向する対向部材３１と、を備え、対向部材は、第一方向に延び且つ第一及び第二方向と直交する方向に間隔をあけて配置される一対の梁部３２０と、一対の梁部同士を連結し、且つ隣接部材及び蓄電素子の少なくとも一方と直接又は間接に接触する接触部３２５を有する、蓄電装置。【選択図】図２
2018049786.tif 000002
【特許請求の範囲】
【請求項１】
第一方向に並ぶ複数の蓄電素子と、
前記複数の蓄電素子のうちの隣り合う二つの蓄電素子の間に配置される隣接部材と、
前記第一方向と直交する第二方向において前記複数の蓄電素子と対向する対向部材と、を備え、
前記対向部材は、
前記第一方向に延び且つ前記第一方向及び前記第二方向と直交する第三方向に間隔をあけて配置される一対の梁部材と、
前記一対の梁部材同士を連結する接触部材であって、前記隣接部材及び前記蓄電素子の少なくとも一方と直接又は間接に接触する接触部と、を有する、蓄電装置。
【請求項２】
前記対向部材は、前記複数の蓄電素子の前記第二方向の両側にそれぞれ配置され且つ前記接触部をそれぞれ有する、請求項１に記載の蓄電装置。
【請求項３】
前記第一方向において前記複数の蓄電素子の両側に配置される一対の終端部材を備え、
前記対向部材は、前記一対の終端部材同士を接続すると共に、前記接触部を複数有し、
前記複数の接触部は、前記第一方向において前記一対の終端部材間を等間隔に区切る位置に配置される、請求項１又は２に記載の蓄電装置。
【請求項４】
前記第一方向において前記複数の蓄電素子の両側に配置される一対の終端部材を備え、
前記対向部材は、前記一対の終端部材同士を接続すると共に、前記接触部を複数有し、
前記隣接部材は、前記対向部材に固定される第一隣接部材を有し、
前記複数の接触部は、前記第一方向において前記終端部材と前記第一隣接部材との間を等間隔に区切る位置に配置される、請求項１又は２に記載の蓄電装置。
【請求項５】
前記接触部は、前記隣接部材及び前記蓄電素子の少なくとも一方と接触することによって弾性変形している、請求項１〜４のいずれか１項に記載の蓄電装置。
【請求項６】
前記接触部は、該接触部と接触する前記隣接部材及び前記蓄電素子の少なくとも一方に向けて膨出するように湾曲する、請求項５に記載の蓄電装置。
【請求項７】
前記隣接部材は、前記第二方向に流体を流通させる流路を該隣接部材と隣り合う蓄電素子との間に形成し、
前記接触部は、前記隣接部材と隣り合う蓄電素子と接触する、請求項１〜６のいずれか１項に記載の蓄電装置。
【請求項８】
前記接触部と、前記蓄電素子との間に配置されるインシュレータを備え、
前記接触部は、前記インシュレータを介して前記蓄電素子に接触し、
前記インシュレータは、前記蓄電素子と接触することで該蓄電素子に対して前記第一方向において位置決めされると共に、該インシュレータに対する前記接触部の前記第一方向への移動を許容する形状を有する、請求項１〜７のいずれか１項に記載の蓄電装置。
【請求項９】
前記蓄電素子は、該蓄電素子の外表面を構成する外装シートを有し、
前記インシュレータは、前記蓄電素子の外装シートに接触する、請求項８に記載の蓄電装置。
【発明の詳細な説明】
【技術分野】
【０００１】
本発明は、複数の蓄電素子を備える蓄電装置に関する。
【背景技術】
【０００２】
従来から、複数の蓄電セルを備えた蓄電モジュールが知られている（特許文献１参照）。具体的に、前記蓄電モジュールは、一方向（積層方向）に並ぶ複数の蓄電セルと、隣り合う前記蓄電セル間に配置される複数の中間蓄電セルホルダと、積層方向両端の二個の前記蓄電セルの積層方向外側に重ね合わされる一対のエンドプレートと、前記一対のエンドプレートの幅方向両端部に締結される一対の側部締結フレームと、を備える。
【０００３】
前記複数の蓄電セルのそれぞれは、直方体状に形成されている。前記複数の中間蓄電セルホルダのそれぞれは、四角い板状の本体と、前記本体の各角部から積層方向に延び、且つ前記本体と隣り合う前記蓄電セルの四隅と接触することで該蓄電セルの該本体に対する積層方向と直交する面方向への移動を規制する規制部と、を有する。
【０００４】
以上の蓄電モジュールを構成する各構成要素（前記蓄電セル、前記中間蓄電セルホルダ等）は、形状や材質等に起因する共振周波数（固有振動数）をそれぞれ有している。これら各構成要素の共振周波数は、十分に高い。このため、前記蓄電モジュールの各構成要素について着目した場合は、該蓄電モジュールが設置（搭載）された装置や車両等の作動時等の振動が伝わっても、各構成要素は共振し難い。
【０００５】
しかし、上記の蓄電モジュールでは、前記中間蓄電セルホルダが隣り合う前記蓄電セルを保持している（即ち、前記中間蓄電セルホルダが隣り合う前記蓄電セルの該中間蓄電セルホルダに対する積層方向と直交する面方向への移動を規制している）ため、前記複数の蓄電セルと前記複数の中間蓄電セルホルダとによって構成される積層体を一つの物体（系）として見ることができ、前記蓄電モジュールにおいてこの積層体に着目した場合には、各構成要素の共振周波数に比べて前記積層体の共振周波数は、大幅に低くなっている。このため、前記積層体における前記蓄電セルの数等によっては、前記蓄電モジュールが設置（搭載）された装置や車両等の作動時等の振動が伝わることで該積層体が共振する場合がある。尚、前記中間蓄電セルホルダが前記蓄電セルを保持していなくても、複数の蓄電セル全体に対して該蓄電セルの積層方向に荷重がかかっていれば、前記複数の蓄電セルによって構成される積層体を、共振周波数の観点から一つの物体（系）として見ることができる。
【先行技術文献】
【特許文献】
【０００６】
【特許文献１】特開２０１５−９９６４９号公報
【発明の概要】
【発明が解決しようとする課題】
【０００７】
そこで、本実施形態は、複数の蓄電素子を備えていても使用時に外部から伝わる振動によって共振し難い蓄電装置を提供することを目的とする。
【課題を解決するための手段】
【０００８】
本実施形態に係る蓄電装置は、
第一方向に並ぶ複数の蓄電素子と、
前記複数の蓄電素子のうちの隣り合う二つの蓄電素子の間に配置される隣接部材と、
前記第一方向と直交する第二方向において前記複数の蓄電素子と対向する対向部材と、を備え、
前記対向部材は、
前記第一方向に延び且つ前記第一方向及び前記第二方向と直交する第三方向に間隔をあけて配置される一対の梁部材と、
前記一対の梁部材同士を連結する接触部材であって、前記隣接部材及び前記蓄電素子の少なくとも一方と直接又は間接に接触する接触部と、を有する。
【０００９】
かかる構成によれば、隣接部材と蓄電素子とによって構成される系に対向部材の接触部が接触していることで該系の剛性が向上し、これにより、接触部が接触していない系に比べ、該系全体の共振周波数が高くなり、その結果、蓄電装置の設置（搭載）された装置や車両等の作動時の振動、即ち蓄電装置の使用時に外部から伝わる振動によって該蓄電装置（系）が共振し難くなる。
【００１０】
この場合、
前記対向部材は、前記複数の蓄電素子の前記第二方向の両側にそれぞれ配置され且つ前記接触部をそれぞれ有してもよい。
【００１１】
このように、隣接部材と蓄電素子とによって構成される系が第二方向の両外側から接触部に接触されることで、該系全体の剛性がより向上するため、該系全体の共振周波数がより高くなる。これにより、蓄電装置の使用時に外部から伝わる振動によって該蓄電装置（系）がより共振し難くなる。
【００１２】
また、前記蓄電装置は、
前記第一方向において前記複数の蓄電素子の両側に配置される一対の終端部材を備え、
前記対向部材は、前記一対の終端部材同士を接続すると共に、前記接触部を複数有し、
前記複数の接触部は、前記第一方向において前記一対の終端部材間を等間隔に区切る位置に配置されてもよい。
【００１３】
かかる構成によれば、一対の終端部材間を等間隔に区切る位置で複数の接触部が系に接触するため、第一方向において全体的に（即ち、第一方向の一部に偏らずに）バランスよく系の剛性を向上させることができ、これにより、系全体の剛性がより好適に向上する。その結果、蓄電装置の使用時に外部から伝わる振動によって該蓄電装置（系）がより共振し難くなる。
【００１４】
また、前記蓄電装置は、
前記第一方向において前記複数の蓄電素子の両側に配置される一対の終端部材を備え、
前記対向部材は、前記一対の終端部材同士を接続すると共に、前記接触部を複数有し、
前記隣接部材は、前記対向部材に固定される第一隣接部材を有し、
前記複数の接触部は、前記第一方向において前記終端部材と前記第一隣接部材との間を等間隔に区切る位置に配置されてもよい。
【００１５】
かかる構成によれば、第一方向において終端部材と第一隣接部材との間を等間隔に区切る位置で複数の接触部が系に接触するため、終端部材と第一隣接部材との間において第一方向の一部に偏らずにバランスよく系の剛性を向上させることができる。その結果、蓄電装置の使用時に外部から伝わる振動によって該蓄電装置（系）が共振し難くなる。しかも、第一隣接部材が対向部材に固定されることで蓄電装置全体の剛性が向上しているため、蓄電装置の使用時に外部から伝わる振動によって該蓄電装置（系）がさらに共振し難くなる。
【００１６】
また、前記蓄電装置において、
前記接触部は、前記隣接部材及び前記蓄電素子の少なくとも一方と接触することによって弾性変形していてもよい。
【００１７】
かかる構成によれば、接触部の弾性変形によって生じた弾発力（弾性復帰力）によって系が第二方向に押圧されることで系の剛性をより効果的に向上させることができ、これにより、系全体の剛性がより向上する。その結果、蓄電装置の使用時に外部から伝わる振動によって該蓄電装置（系）がより共振し難くなる。
【００１８】
また、前記蓄電装置において、
前記接触部は、該接触部と接触する前記隣接部材及び前記蓄電素子の少なくとも一方に向けて膨出するように湾曲してもよい。
【００１９】
このように、第三方向に延びる部位を湾曲させることで形成された接触部を系に押し当てるといった簡素な構成によって、弾発力を生じさせて系に押圧力を加える、即ち、系の剛性を効果的に向上させることができる。
【００２０】
また、前記蓄電装置では、
前記隣接部材は、前記第二方向に流体を流通させる流路を該隣接部材と隣り合う蓄電素子との間に形成し、
前記接触部は、前記隣接部材と隣り合う蓄電素子と接触してもよい。
【００２１】
かかる構成によれば、隣接部材と蓄電素子との間に流路が形成されるため、該流路に温度調整用の流体を流通させることで、蓄電素子の温度を調整することができる。しかも、接触部を蓄電素子に接触させることで、接触部は、流路の開口を避けた位置、即ち、流路の開口を塞がない位置で系に接触するため、流路を流れる流体の流通を妨げない。その結果、系の剛性を高めて蓄電装置の使用時の共振を防ぎつつ、蓄電素子の温度調整を効率よく行うことができる。
【００２２】
前記蓄電装置は、
前記接触部と、前記蓄電素子との間に配置されるインシュレータを備え、
前記接触部は、前記インシュレータを介して前記蓄電素子に接触し、
前記インシュレータは、前記蓄電素子と接触することで該蓄電素子に対して前記第一方向において位置決めされると共に、該インシュレータに対する前記接触部の前記第一方向への移動を許容する形状を有してもよい。
【００２３】
かかる構成によれば、接触部と蓄電素子との間にインシュレータが配置されるため、蓄電装置に第一方向の加速度が生じたことで蓄電素子が対向部材に対して相対移動しても、蓄電素子が接触部と擦れて損傷することを防ぐことができる。しかも、インシュレータが、蓄電素子に位置決めされていてもインシュレータに対する接触部の第一方向への移動を許容しているため、蓄電装置に第一方向の加速度が生じたときに、インシュレータが蓄電素子の第一方向への移動（対向部材との相対移動）に追随して移動しても、インシュレータに対する接触部の相対移動（第一方向において蓄電素子の移動方向と反対側への移動）が許容されるため、インシュレータの損傷が抑えられる。
【００２４】
前記蓄電装置では、
前記蓄電素子は、該蓄電素子の外表面を構成する外装シートを有し、
前記インシュレータは、前記蓄電素子の外装シートに接触してもよい。
【００２５】
かかる構成によれば、蓄電装置に第一方向の加速度が生じたことで蓄電素子が対向部材に対して相対移動しても、インシュレータが蓄電素子の第一方向への移動（対向部材との相対移動）に追随して移動するため、外装シートにおけるインシュレータの擦れ等による損傷を防ぐことができる。
【発明の効果】
【００２６】
以上より、本実施形態によれば、複数の蓄電素子を備えていても使用時に外部から伝わる振動によって共振し難い蓄電装置を提供することができる。
【図面の簡単な説明】
【００２７】
【図１】図１は、本実施形態に係る蓄電装置の斜視図である。
【図２】図２は、前記蓄電装置の構成の一部を省略した分解斜視図である。
【図３】図３は、前記蓄電装置に用いられる蓄電素子の斜視図である。
【図４】図４は、前記蓄電素子の分解斜視図である。
【図５】図５は、前記蓄電装置に用いられる一対の対向部材の斜視図である。
【図６】図６は、図１のＶＩ−ＶＩ位置における一部を省略した断面図である。
【図７】図７は、前記蓄電装置に用いられる一対のインシュレータの斜視図である。
【図８】図８は、図６のＶＩＩＩ−ＶＩＩＩ位置における断面の模式図である。
【発明を実施するための形態】
【００２８】
以下、本発明の一実施形態について、図１〜図８を参照しつつ説明する。尚、本実施形態の各構成部材（各構成要素）の名称は、本実施形態におけるものであり、背景技術における各構成部材（各構成要素）の名称と異なる場合がある。
【００２９】
蓄電装置は、図１及び図２に示すように、所定の方向に並ぶ複数の蓄電素子１０と、複数の蓄電素子１０のうちの前記所定の方向の途中位置にある蓄電素子１０と隣り合う少なくとも一つの隣接部材２と、前記所定の方向と直交する方向において複数の蓄電素子１０と対向する対向部材３１と、備える。この対向部材３１は、複数の蓄電素子１０と少なくとも一つの隣接部材２とをひとまとめに保持する保持部材３に含まれる。即ち、蓄電装置１は、保持部材３を備える。また、本実施形態の蓄電装置１は、複数の蓄電素子１０と保持部材３との間に配置されるインシュレータ４も備える。
【００３０】
複数の蓄電素子１０のそれぞれは、図３及び図４にも示すように、正極及び負極を含む電極体１１と、電極体１１を収容するケース１２と、ケース１２の外面に配置される一対の外部端子１３と、ケース１２の表面の少なくとも一部を覆う外装シート１４と、を備える。また、複数の蓄電素子１０のそれぞれは、電極体１１とケース１２との間を絶縁する絶縁部材１５も備える。
【００３１】
ケース１２は、開口を有するケース本体１２０と、ケース本体１２０の開口を塞ぐ蓋板１２１とを有する。本実施形態のケース１２は、直方体形状である。
【００３２】
ケース本体１２０は、長方形の板状の閉塞部１２３と、閉塞部１２３の周縁に接続された筒状の胴部１２４と、を有する。以下の説明では、閉塞部１２３の短辺方向（即ち、蓄電素子１０が並ぶ方向）を直交座標系におけるＸ軸方向（第一方向）とし、閉塞部１２３の長辺方向を直交座標系におけるＹ軸方向（第二方向）とし、閉塞部１２３の法線方向を直交座標系におけるＺ軸方向（第三方向）とする。これに伴い、各図面に、Ｘ軸方向、Ｙ軸方向、及びＺ軸方向のそれぞれに対応する直交座標軸を補助的に図示する。
【００３３】
胴部１２４は、閉塞部１２３の輪郭に沿った角筒状、即ち、扁平な角筒状である。具体的に、胴部１２４は、閉塞部１２３の周縁における長辺から延びる一対の長壁部１２５と、閉塞部１２３の周縁における短辺から延びる一対の短壁部１２６と、を有する。この胴部１２４の一端は、閉塞部１２３によって閉塞され、他端は、開口する。即ち、ケース本体１２０は、扁平な有底角筒形状を有する。
【００３４】
蓋板１２１は、ケース本体１２０の開口を塞ぐ板状の部材である。具体的に、蓋板１２１は、法線方向から見て、ケース本体１２０の開口周縁部に対応した輪郭を有する。本実施形態の蓋板１２１には、一対の外部端子１３が電極体１１の各極（正極、負極）に電気的に接続された状態で取り付けられる。
【００３５】
以上のケース１２は、電極体１１が内部に収容された状態で、蓋板１２１の周縁部がケース本体１２０の開口周縁部に重ねられて該ケース本体１２０の開口が塞がれ、この状態の蓋板１２１とケース本体１２０との境界部が溶接されることで構成される。
【００３６】
外装シート１４は、絶縁性を有し、ケース１２の表面を覆う。即ち、外装シート１４は、蓄電素子１０の外表面の少なくとも一部を構成する。本実施形態の外装シート１４は、ポリプロピレンによって形成されている。この外装シート１４は、胴部１２４の表面の略全域（詳しくは、蓋板１２１側の端部と閉塞部１２３側の端部とを除いた領域）を覆っている。尚、外装シート１４は、胴部１２４の一部を覆う構成でもよく、蓋板１２１や閉塞部１２３のみを覆う構成等であってもよい。
【００３７】
本実施形態の蓄電装置１では、以上のように構成される蓄電素子１０が複数配置されている。具体的には、複数の蓄電素子１０が、胴部１２４の幅広の壁部（長壁部１２５）同士を対向させるように並んでいる。
【００３８】
隣接部材２は、Ｘ軸方向に並ぶ蓄電素子１０の間、又は蓄電素子１０と該蓄電素子１０に対してＸ軸方向に並ぶ部材（本実施形態の例では、保持部材３の一部）との間に配置される。この隣接部材２は、図１及び図２に示すように、複数種の隣接部材を含む。本実施形態の隣接部材２は、蓄電装置１のＸ軸方向の途中位置に配置される蓄電素子１０と隣り合う第一隣接部材２１と、Ｘ軸方向に並ぶ複数の蓄電素子１０のうちの最も端にある蓄電素子１０と隣り合う第二隣接部材２２と、第一隣接部材２１と第二隣接部材２２との間にある蓄電素子１０と隣り合う第三隣接部材（隣接部材）２３と、を有する。
【００３９】
第一隣接部材２１は、Ｘ軸方向に隣り合う蓄電素子１０の間に配置される。これにより、第一隣接部材２１を介してＸ軸方向に並ぶ蓄電素子１０の間に、所定の間隔（沿面距離等）が確保される。また、第一隣接部材２１は、保持部材３に連結（固定）されている。
【００４０】
具体的に、第一隣接部材２１は、蓄電素子１０（ケース本体１２０）と隣り合う本体部（以下、「第一本体部」と称する。）２１１と、第一本体部２１１と隣り合う蓄電素子１０の該第一本体部２１１に対する移動を規制する規制部（以下、「第一規制部」と称する。）２１２と、を有する。また、第一隣接部材２１は、保持部材３と係合する軸部２１３を備える。
【００４１】
第一本体部２１１は、Ｘ軸方向から見て隣り合う蓄電素子１０（ケース１２）に対応する長方形の輪郭を具備し、保持部材３に第一本体部２１１を固定（連結）するための連結部２１１１を有する。また、第一本体部２１１は、Ｘ軸方向に隣り合う蓄電素子１０との間に温度調整用の流体（本実施形態の例では空気）を流通させる流路２１５を形成する。詳しくは、第一本体部２１１では、隣り合う蓄電素子１０に向けて（Ｘ軸方向に）突出すると共にＹ軸方向に延びる複数の凸部２１６が、Ｚ軸方向に間隔をあけて並ぶ。これら複数の凸部２１６の先端（突出方向の先端）のそれぞれが隣り合う蓄電素子１０に接触することにより、第一隣接部材２１と蓄電素子１０との間にＹ軸方向に延びる流路２１５が形成される。
【００４２】
連結部２１１１は、第一本体部２１１のＹ軸方向の端部に設けられている。本実施形態の連結部２１１１は、第一本体部２１１のＹ軸方向の両端部にそれぞれ設けられている。この連結部２１１１は、ボルトＢが保持部材３を貫通した状態でねじ込まれる部位である。蓄電装置１では、このボルトＢの連結部２１１１へのねじ込みにより、第一本体部２１１（第一隣接部材２１）と保持部材３とが連結される。
【００４３】
第一規制部２１２は、第一本体部２１１からＸ軸方向に延び、第一本体部２１１と隣り合う蓄電素子１０（詳しくはケース１２）とＹ−Ｚ面（Ｙ軸とＺ軸とを含む面）方向の外側から接触することによって該蓄電素子１０の第一本体部２１１に対するＹ−Ｚ面方向への相対移動を規制する。この第一規制部２１２は、第一本体部２１１の少なくとも各角部からＸ軸方向に延び、第一本体部２１１と隣り合う蓄電素子１０（ケース１２）の角部にＹ−Ｚ面方向の外側から接触する。
【００４４】
このように第一本体部２１１の各角部から延びる第一規制部２１２が該第一本体部２１１と隣り合う蓄電素子１０の対応する角部に対してＹ−Ｚ面方向の外側からそれぞれ接触することで、隣り合う蓄電素子１０の第一本体部２１１（第一隣接部材２１）に対するＹ−Ｚ面方向への移動が規制される。本実施形態の第一隣接部材２１では、第一規制部２１２が第一本体部２１１のＸ軸方向の両側にそれぞれ延びているため、第一隣接部材２１は、第一本体部２１１のＸ軸方向の一方側において隣り合う蓄電素子１０のＹ−Ｚ面方向の移動を規制すると共に、他方側において隣り合う蓄電素子１０のＹ−Ｚ面方向の移動を規制する。
【００４５】
軸部２１３は、第一本体部２１１のＹ軸方向の端から外側に向けて延び、保持部材３と係合する。本実施形態の軸部２１３は、第一本体部２１１のＹ軸方向の両端から外側に向けてそれぞれ延び、保持部材３において該軸部２１３と対応する部位に設けられた貫通孔３２２２に挿通されている。
【００４６】
第二隣接部材２２は、Ｘ軸方向において蓄電素子１０と保持部材３との間に配置される。これにより、第二隣接部材２２を介してＸ軸方向に並ぶ蓄電素子１０と保持部材３との間に、所定の間隔（沿面距離等）が確保される。
【００４７】
具体的に、第二隣接部材２２は、蓄電素子１０と保持部材３との間において該蓄電素子１０（ケース本体１２０）と隣り合う本体部（以下、「第二本体部」と称する。）２２１と、第二本体部２２１と隣り合う蓄電素子１０の該第二本体部２２１に対する移動を規制する規制部（以下、「第二規制部」と称する。）２２２と、を有する。
【００４８】
第二本体部２２１は、Ｘ軸方向から見て隣り合う蓄電素子１０（ケース１２）に対応する矩形の輪郭を有する。また、第二本体部２２１は、Ｘ軸方向に隣り合う蓄電素子１０との間に温度調整用の流体（本実施形態の例では空気）を流通させる流路２２５を形成する。詳しくは、第二本体部２２１では、隣り合う蓄電素子１０に向けて（Ｘ軸方向に）突出すると共にＹ軸方向に延びる複数の凸部２２６が、Ｚ軸方向に間隔をあけて並ぶ。これにより、複数の凸部２２６の先端（突出方向の先端）のそれぞれが隣り合う蓄電素子１０と接触することで、第二隣接部材２２と蓄電素子１０との間にＹ軸方向に延びる流路２２５が形成される。
【００４９】
第二規制部２２２は、第二本体部２２１からＸ軸方向に延び、第二本体部２２１と隣り合う蓄電素子１０（詳しくはケース１２）とＹ−Ｚ面方向の外側から接触することによって該蓄電素子１０の第二本体部２２１に対するＹ−Ｚ面方向への相対移動を規制する。この第二規制部２２２は、第二本体部２２１の少なくとも各角部からＸ軸方向に延び、第二本体部２２１と隣り合う蓄電素子１０（ケース１２）の角部にＹ−Ｚ面方向の外側から接触する。
【００５０】
このように第二本体部２２１の各角部から延びる第二規制部２２２が該第二本体部２２１と隣り合う蓄電素子１０の対応する角部に対してＹ−Ｚ面方向の外側からそれぞれ接触することで、隣り合う蓄電素子１０の第二本体部２２１（第二隣接部材２２）に対するＹ−Ｚ面方向への移動が規制される。本実施形態の第二隣接部材２２では、第二規制部２２２が第二本体部２２１のＸ軸方向の一方側（又は他方側）に延びている。このため、第二隣接部材２２は、第二本体部２２１のＸ軸方向の一方側（又は他方側）において隣り合う蓄電素子１０のＹ−Ｚ面方向の移動を規制する。
【００５１】
第三隣接部材２３は、第一隣接部材２１と第二隣接部材２２との間において、Ｘ軸方向に隣り合う蓄電素子１０の間に配置される。これにより、第三隣接部材２３を介してＸ軸方向に並ぶ蓄電素子１０の間に、所定の間隔（沿面距離等）が確保される。
【００５２】
具体的に、第三隣接部材２３は、蓄電素子１０（ケース本体１２０）と隣り合う本体部（以下、「第三本体部」と称する。）２３１と、第三本体部２３１と隣り合う蓄電素子１０の該第三本体部２３１に対する移動を規制する規制部（以下、「第三規制部」と称する。）２３２と、を有する。
【００５３】
第三本体部２３１は、Ｘ軸方向から見て隣り合う蓄電素子１０（ケース１２）に対応する矩形の輪郭を有する。また、第三本体部２３１は、Ｘ軸方向に隣り合う蓄電素子１０との間に温度調整用の流体（本実施形態の例では空気）を流通させる流路２３５を形成する。詳しくは、第三本体部２３１は、矩形波形の断面形状を有する。これにより、第三本体部２３１が隣り合う蓄電素子１０と接触することで、該蓄電素子１０との間にＹ軸方向に延びる流路２３５が形成される。
【００５４】
第三規制部２３２は、第三本体部２３１からＸ軸方向に延び、第三本体部２３１と隣り合う蓄電素子１０（詳しくはケース１２）とＹ−Ｚ面方向の外側から接触することによって該蓄電素子１０の第三本体部２３１に対するＹ−Ｚ面方向への相対移動を規制する。この第三規制部２３２は、第三本体部２３１の少なくとも各角部からＸ軸方向に延び、第三本体部２３１と隣り合う蓄電素子１０（ケース１２）の角部にＹ−Ｚ面方向の外側から接触する。
【００５５】
このように第三本体部２３１の各角部から延びる第三規制部２３２が該第三本体部２３１と隣り合う蓄電素子１０の対応する角部に対してＹ−Ｚ面方向の外側からそれぞれ接触することで、隣り合う蓄電素子１０の第三本体部２３１（第三隣接部材２３）に対するＹ−Ｚ面方向への移動が規制される。本実施形態の第三隣接部材２３では、第三規制部２３２が第三本体部２３１のＸ軸方向の両側にそれぞれ延びているため、第三隣接部材２３は、第三本体部２３１のＸ軸方向の一方側において隣り合う蓄電素子１０のＹ−Ｚ面方向の移動を規制すると共に、他方側において隣り合う蓄電素子１０のＹ−Ｚ面方向の移動を規制する。
【００５６】
保持部材３は、図１に示すように、複数の蓄電素子１０と複数の隣接部材２との周囲を囲むことで、これら複数の蓄電素子１０と複数の隣接部材２とをひとまとめに保持する。この保持部材３は、導電性を有する部材によって構成される。具体的に、保持部材３は、図２にも示すように、Ｘ軸方向において複数の蓄電素子１０が間に位置するように配置される一対の終端部材３０と、複数の蓄電素子１０とＹ軸方向に対向した状態で一対の終端部材３０同士を接続する対向部材３１と、を備える。本実施形態の蓄電装置１では、一対の終端部材３０が、Ｘ軸方向の端に配置された蓄電素子１０との間に第二隣接部材２２を挟み込んだ状態で配置され、一対の対向部材３１がＸ軸方向に並ぶ複数の蓄電素子１０のＹ軸方向の両側に配置される。
【００５７】
一対の終端部材３０のそれぞれは、Ｙ−Ｚ面方向に広がる。具体的に、一対の終端部材３０のそれぞれは、蓄電素子１０と対応する輪郭（本実施形態では矩形状の輪郭）を有する本体３００と、本体３００から第二隣接部材２２の第二本体部２２１に向けて突出し且つ該第二隣接部材２２に接触する圧接部３０１と、を有する。
【００５８】
一対の対向部材３１のそれぞれは、ケース１２の一つの面を構成する短壁部１２６と対向する。この対向部材３１は、図５にも示すように、短壁部１２６に沿う本体３２と、本体３２からケース１２の閉塞部１２３に沿って延びる第一延設部３３と、を有する。また、本実施形態の対向部材３１は、本体３２からケース１２の蓋板１２１に沿って延びる第二延設部３４と、本体３２を終端部材３０に接続する一対の接続片３５と、も有する。
【００５９】
本体３２は、第三隣接部材２３及び該第三隣接部材２３によってＹ−Ｚ面方向の移動を規制されている蓄電素子１０の少なくとも一方と接触している接触部３２５を有する。本実施形態の本体３２は、Ｘ−Ｚ面（Ｘ軸及びＹ軸を含む面）方向に沿った板状の部位である。具体的に、本体３２は、Ｘ軸方向に延び且つＺ軸方向に間隔をあけて配置される一対の梁部３２０と、一対の梁部３２０の端部同士を連結する一対の第一連結部３２１と、一対の第一連結部３２１の間で一対の梁部３２０に接続される少なくとも一つの接触部３２５と、を有する。また、本実施形態の本体３２は、Ｘ軸方向における途中位置（本実施形態の例では、第一隣接部材２１とＹ軸方向に重なる位置）において一対の梁部３２０同士を連結する第二連結部３２２と、第一連結部３２１と第二連結部３２２との間で一対の梁部３２０を連結する少なくとも一つの第三連結部３２３と、を有する。
【００６０】
一対の梁部３２０のそれぞれは、Ｘ軸方向に並ぶ複数の蓄電素子１０（ケース１２）の短壁部１２６におけるＺ軸方向の端部に沿って延びる。即ち、一対の梁部３２０のうちの一方は、複数の蓄電素子１０のそれぞれの短壁部１２６の蓋板１２１側の端部に沿って延び、一対の梁部３２０のうちの他方は、複数の蓄電素子１０のそれぞれの短壁部１２６の閉塞部１２３側の端部に沿って延びている。
【００６１】
一対の第一連結部３２１のそれぞれは、終端部材３０とＹ軸方向に重なる位置においてＺ軸方向に延びる。これにより、一対の梁部３２０と一対の第一連結部３２１とは、矩形の枠状となる。
【００６２】
接触部３２５は、第三隣接部材２３、及び第三隣接部材２３によって移動を規制されている蓄電素子１０の少なくとも一方と接触することによって弾性変形している。具体的に、接触部３２５は、図６にも示すように、一対の梁部３２０のうちの一方の梁部３２０から他方の梁部３２０までＺ軸方向に延びると共に、該接触部３２５を含む対向部材３１が対向する蓄電素子１０側に膨出するように湾曲している。この接触部３２５のＺ軸方向の中央部は、第三隣接部材２３、及び該第三隣接部材２３によって移動を規制されている蓄電素子１０の少なくとも一方に押し付けられている。本実施形態の接触部３２５は、第三隣接部材２３によって移動を規制されている蓄電素子１０の短壁部１２６に接触している。即ち、接触部３２５は、第三隣接部材２３と蓄電素子１０との間に形成される流路２３５の開口を避けた状態で蓄電素子１０に接触している。本実施形態の蓄電装置１では、一対の対向部材３１において、一方の対向部材３１の接触部３２５と、他方の対向部材３１の接触部３２５とが、対応する位置に配置されている（即ち、Ｙ軸方向に互いに向かい合った状態で共通の蓄電素子１０に接触する）ことが好ましい。
【００６３】
また、対向部材３１（本体３２）は、複数（本実施形態の例では四つ）の接触部３２５を有する。この複数の接触部３２５は、Ｘ軸方向において一対の終端部材３０の間を等間隔に区切る位置、又はＸ軸方向において終端部材３０と第一隣接部材２１（対向部材３１に固定された隣接部材２）との間を等間隔に区切る位置に配置される。本実施形態の対向部材３１では、複数の接触部３２５は、Ｘ軸方向において終端部材３０と第一隣接部材２１との間を等間隔に区切る位置に配置されている（図１参照）。
【００６４】
第二連結部３２２は、Ｚ軸方向に延び、第一隣接部材２１の連結部２１１１及び軸部２１３と対応する位置（具体的には、Ｙ軸方向に重なる位置）に厚さ方向に貫通する貫通孔３２２１、３２２２を有する。貫通孔３２２１には、ボルトＢが挿通され、該ボルトＢは、第一隣接部材２１の連結部２１１１にねじ込まれる。これにより、対向部材３１（本体３２）と第一隣接部材２１とが連結される。また、貫通孔３２２２には、第一隣接部材２１の軸部２１３が挿通される。
【００６５】
第三連結部３２３は、Ｙ軸方向において蓄電素子１０と重なる位置においてＺ軸方向に延びる。本実施形態の対向部材３１は、複数（本実施形態の例では四つ）の第三連結部３２３を有する。これら複数の第三連結部３２３は、一対の第一連結部３２１の間における第二連結部３２２と複数の接触部３２５とを避けた位置（重ならない位置）に配置されている。
【００６６】
第一延設部３３は、本体３２の閉塞部１２３側の端縁（梁部３２０の端縁）からＹ軸方向に延びると共にＸ軸方向に延びる板状、即ち、Ｘ軸方向に並ぶ複数の蓄電素子１０の閉塞部１２３のそれぞれに沿った板状の部位である。この第一延設部３３のＸ軸方向の寸法は、梁部３２０（本体３２）のＸ軸方向の寸法と略同じである。この第一延設部３３と該第一延設部３３が接続される梁部３２０とは、Ｌ字状の断面（Ｙ−Ｚ面方向の断面）形状、即ち、中央部が屈曲した断面形状を有し、各蓄電素子１０の閉塞部１２３側の角部（各蓄電素子１０における閉塞部１２３と短壁部１２６とによって構成される角部）をＹ−Ｚ面方向の外側から拘束する。
【００６７】
第二延設部３４は、本体３２の蓋板１２１側の端縁（梁部３２０の端縁）からＹ軸方向に延びると共にＸ軸方向に延びる板状、即ち、Ｘ軸方向に並ぶ複数の蓄電素子１０の蓋板１２１のそれぞれに沿った板状の部位である。この第二延設部３４のＸ軸方向の寸法は、第一延設部３３と同様に、梁部３２０（本体３２）のＸ軸方向の寸法と略同じである。また、第二延設部３４のＹ軸方向の寸法は、第一延設部３３のＹ軸方向の寸法より小さい。この第二延設部３４と該第二延設部３４が接続される梁部３２０とは、Ｌ字状の断面（Ｙ−Ｚ面方向の断面）形状、即ち、中央部が屈曲した断面形状を有し、各蓄電素子１０の蓋板１２１側の角部（各蓄電素子１０における蓋板１２１と短壁部１２６とによって構成される角部）をＹ−Ｚ面方向の外側から拘束する。
【００６８】
一対の接続片３５のそれぞれは、本体３２のＸ軸方向の端縁（第一連結部３２１の端縁）からＹ軸方向に延びると共にＺ軸方向に延びる板状の部位である。この接続片３５が終端部材３０に連結されることで、終端部材３０と対向部材３１とが接続（連結）される。
【００６９】
インシュレータ４は、絶縁性を有し、図１及び図２に示すように、対向部材３１と、Ｘ軸方向に並ぶ複数の蓄電素子１０との間に配置される。このインシュレータ４は、保持部材３における少なくとも複数の蓄電素子１０と対向する領域を覆う。これにより、インシュレータ４は、保持部材３と、Ｘ軸方向に並ぶ複数の蓄電素子１０との間を絶縁する。本実施形態のインシュレータ４は、ポリプロピレンによって形成されている。
【００７０】
具体的に、インシュレータ４は、図７にも示すように、本体３２を覆う本体被覆部４０と、第一延設部３３を覆う第一被覆部（被覆部）４１と、第二延設部３４を覆う第二被覆部４２と、を有する。
【００７１】
本体被覆部４０は、本体３２における蓄電素子１０（詳しくは、短壁部１２６）と対向する対向面を覆う。この本体被覆部４０は、本体３２と対応する形状を有する。即ち、本体被覆部４０は、梁部３２０における蓄電素子１０との対向面を覆う一対の第一本体被覆部４０１と、第一連結部３２１における終端部材３０との対向面を覆う一対の第二本体被覆部４０２と、接触部３２５における蓄電素子１０との対向面を覆う第三本体被覆部４０３と、を有する。また、本実施形態の本体被覆部４０は、第二連結部３２２における第一隣接部材２１との対向面を覆う第四本体被覆部４０４と、第三連結部３２３における蓄電素子１０との対向面を覆う少なくとも一つの第五本体被覆部４０５と、を有する。
【００７２】
第三本体被覆部４０３は、蓄電素子１０と接触することで該蓄電素子１０に対してＺ軸方向において位置決めされると共に、第三本体被覆部４０３に対する接触部３２５のＸ軸方向への移動を許容する形状を有する。具体的に、第三本体被覆部４０３は、Ｚ軸方向に延び、Ｚ軸方向の各位置において図８に示すような断面、即ち、Ｚ軸方向の各位置において、接触部３２５に沿って延びる本体４０３０から、蓄電素子１０（ケース１２）のＹ軸方向の端部をＸ軸方向に挟むように突出する一対の第一凸部４０３１と、本体４０３０から第一凸部４０３１と反対側に突出する一対の第二凸部４０３２であって、接触部３２５のＸ軸方向の両側に突出する一対の第二凸部４０３２と、を有する。尚、第一凸部４０３１は、少なくとも蓄電素子１０と接する範囲においてＺ軸方向に延びていればよい。
【００７３】
一対の第一凸部４０３１のそれぞれは、Ｘ軸方向において蓄電素子１０との間に間隔を有さない。即ち、一対の第一凸部４０３１のそれぞれは、蓄電素子１０と接触している。これにより、蓄電装置１にＸ軸方向の加速度が生じたときに等に、蓄電素子１０が対向部材３１に対してＸ軸方向に移動すると、第三本体被覆部４０３は、蓄電素子１０に位置決めされているため該蓄電素子１０の移動（対向部材３１との相対移動）に追随する。また、一対の第二凸部４０３２のそれぞれは、Ｘ軸方向において接触部３２５との間に間隔を有する。これにより、第三本体被覆部４０３は、該第三本体被覆部４０３に対する接触部３２５のＸ軸方向への相対移動を許容する。
【００７４】
第一被覆部４１は、少なくとも第一延設部３３における蓄電素子１０と対向する領域を覆う。本実施形態の第一被覆部４１は、第一延設部３３における蓄電素子１０との対向面と、蓄電素子１０と反対側の面とを覆う。具体的に、第一被覆部４１は、第一延設部３３における蓄電素子１０（閉塞部１２３）との対向面に沿って第一延設部３３と本体３２との境界位置から該第一延設部３３の先端（Ｙ軸方向の先端）まで延びると共に、前記先端で折り返して該第一延設部３３における蓄電素子１０と反対側の面に沿って延びる。
【００７５】
第二被覆部４２は、少なくとも第二延設部３４の蓄電素子１０と対向する領域を覆う。本実施形態の第二被覆部４２は、第二延設部３４における蓄電素子１０との対向面と、蓄電素子１０と反対側の面とを覆う。具体的に、第二被覆部４２は、第二延設部３４における蓄電素子１０（蓋板１２１）との対向面に沿って第二延設部３４と本体３２との境界位置から該第二延設部３４の先端（Ｙ軸方向の先端）まで延びると共に、前記先端で折り返して該第二延設部３４における蓄電素子１０と反対側の面に沿って延びる。
【００７６】
図１及び図２に戻り、バスバ５は、金属等の導電性を有する板状の部材によって構成される。バスバ５は、蓄電装置１に含まれる複数の蓄電素子１０の全てを直列に接続する（導通させる）。このバスバ５は、複数種のバスバを含む。本実施形態のバスバ５は、第一隣接部材２１を介して隣り合う蓄電素子１０の外部端子１３同士を導通させる（即ち、第一隣接部材２１を跨いで接続する）第一バスバ５１と、第三隣接部材２３を介して隣り合う蓄電素子１０の外部端子１３同士を導通させる（即ち、第三隣接部材２３を跨いで接続する）第二バスバ５２と、を有する。本実施形態の蓄電装置１は、一つの第一バスバ５１と、複数の第二バスバ５２と、を有する。
【００７７】
第一バスバ５１は、電気的に接続された一方の外部端子１３から他方の外部端子１３までの間に、第一隣接部材２１と間隔を設けた状態で、Ｚ軸方向における第一隣接部材２１から離れる向き（図１における上向き）に凸状に延びる部位を有する。本実施形態の第一バスバ５１は、矩形の板状の部材が折り曲げ加工等されることによって形成される。
【００７８】
第二バスバ５２は、Ｘ軸方向に延びる（詳しくは、Ｘ―Ｙ平面方向に広がる）略矩形の板状である。
【００７９】
以上の蓄電装置１によれば、第三隣接部材２３と該第三隣接部材２３によって保持される蓄電素子１０とによって構成される系（本実施形態の例では、第一隣接部材２１と第二隣接部材２２との間に配置される複数の蓄電素子１０と複数の第三隣接部材２３との塊）に対向部材３１の接触部３２５が接触していることで該系の剛性が向上している。これにより、接触部３２５が接触していない系に比べ、該系全体の共振周波数が高くなり、その結果、蓄電装置１の設置（搭載）された装置や車両等の作動時の振動、即ち蓄電装置１の使用時に外部から伝わる振動によって該蓄電装置１（系）が共振し難くなる。
【００８０】
本実施形態の蓄電装置１では、対向部材３１が、複数の蓄電素子１０のＹ軸方向の両側にそれぞれ配置されている。このように、第三隣接部材２３と該第三隣接部材２３によって保持される蓄電素子１０とによって構成される系がＹ軸方向の両外側から接触部３２５に接触されることで、該系全体の剛性がより向上する。このため、前記系全体の共振周波数がより高くなる。これにより、蓄電装置１の使用時に外部から伝わる振動によって該蓄電装置１（系）がより共振し難くなる。
【００８１】
また、本実施形態の蓄電装置１では、複数の接触部３２５が、Ｘ軸方向において終端部材３０と第一隣接部材２１との間を等間隔に区切る位置に配置されている。このため、Ｘ軸方向において終端部材３０と第一隣接部材２１との間を等間隔に区切る位置で複数の接触部３２５が系に接触するため、Ｘ軸方向において全体的に（即ち、Ｘ軸方向の一部に偏らずに）バランスよく系の剛性を向上させることができる。これにより、系全体の剛性がより好適に向上し、その結果、蓄電装置１の使用時に外部から伝わる振動によって該蓄電装置１（系）がより共振し難くなる。
【００８２】
また、本実施形態の蓄電装置１では、接触部３２５は、第三隣接部材２３及び該第三隣接部材２３によって移動を規制されている蓄電素子１０の少なくとも一方と接触することによって弾性変形している。この接触部３２５の弾性変形によって生じた弾発力（弾性復帰力）によって系がＹ軸方向に押圧されることで系の剛性をより効果的に向上させることができる。これにより、系全体の剛性がより向上し、その結果、蓄電装置１の使用時に外部から伝わる振動によって該蓄電装置１（系）がより共振し難くなる。
【００８３】
接触部３２５は、Ｚ軸方向に延びると共に、該接触部３２５と接触する第三隣接部材２３及び蓄電素子１０の少なくとも一方に向けて膨出するように湾曲している。このように、Ｚ軸方向に延びる部位を湾曲させることで形成された接触部３２５を系に押し当てるといった簡素な構成によって、弾発力を生じさせて系に押圧力を加える、即ち、系の剛性を効果的に向上させることができる。
【００８４】
また、本実施形態の蓄電装置１では、第三隣接部材２３が、Ｙ軸方向に流体を流通させる流路２３５を該第三隣接部材２３と隣り合う蓄電素子１０との間に形成し、接触部３２５が、第三隣接部材２３と隣り合う蓄電素子１０と接触している。これにより、蓄電装置１では、第三隣接部材２３と蓄電素子１０との間に流路２３５が形成されるため、該流路２３５に温度調整用の流体を流通させることで、蓄電素子１０の温度を調整することができる。しかも、接触部３２５を、第三隣接部材２３と蓄電素子１０とに跨らせず、蓄電素子１０に接触させることで、接触部３２５は、流路２３５の開口を避けた位置、即ち、流路２３５の開口を塞がない位置で系に接触するため、流路２３５を流れる流体の流通を妨げない。その結果、系の剛性を高めて蓄電装置１の使用時の共振を防ぎつつ、蓄電素子１０の温度調整を効率よく行うことができる。
【００８５】
また、本実施形態の蓄電装置１では、第三隣接部材２３と隣り合う蓄電素子１０が、該蓄電素子１０の外表面を構成する外装シート１４を有している。また、インシュレータ４（詳しくは、第三本体被覆部４０３）が、第三隣接部材２３と隣り合う蓄電素子１０と接触することで該蓄電素子１０に対してＸ軸方向において位置決めされると共に、該インシュレータ４（詳しくは、第三本体被覆部４０３）に対する接触部３２５のＸ軸方向への移動を許容する形状を有している（図８参照）。このように、接触部３２５と蓄電素子１０との間にインシュレータ４（詳しくは、第三本体被覆部４０３）が配置されるため、蓄電装置１にＸ軸方向の加速度が生じたことで蓄電素子１０が対向部材３１に対して相対移動しても、外装シート１４が接触部３２５と擦れて破れる等の損傷を防ぐことができる。しかも、インシュレータ４（詳しくは、第三本体被覆部４０３）が、蓄電素子１０に位置決めされると共にインシュレータ４に対する接触部３２５のＸ軸方向への移動を許容しているため、蓄電装置１にＸ軸方向の加速度が生じたときに、インシュレータ４（詳しくは、第三本体被覆部４０３）が蓄電素子１０のＸ軸方向への移動（対向部材３１との相対移動）に追随して移動する。このとき、インシュレータ４（詳しくは、第三本体被覆部４０３）に対する接触部３２５の相対移動（Ｘ軸方向において蓄電素子１０の移動方向と反対側への移動）が許容される。その結果、インシュレータ４の損傷が抑えられる。
【００８６】
尚、本発明の蓄電素子は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００８７】
接触部３２５の具体的な構成は、限定されない。例えば、上記実施形態の接触部３２５は、Ｚ軸方向に延びると共に蓄電素子１０に向けて膨出するように湾曲することで、蓄電素子１０との接触によって弾性変形可能であるが、弾性変形しない（できない）構成であってもよい。この場合、接触部３２５が、第三隣接部材２３及び該第三隣接部材２３と隣り合う蓄電素子１０の少なくとも一方を、Ｙ軸方向に押圧してもよく、押圧せずに単に接触しているだけでもよい。何れの構成によっても、系（第三隣接部材２３と該第三隣接部材２３によってＹ−Ｚ面方向の動きが規制されている蓄電素子１０の群（塊））の剛性が向上する。
【００８８】
また、上記実施形態の接触部３２５では、Ｚ軸方向の両端が梁部３２０に接続されているが、この構成に限定されず、何れか一方の端部のみが梁部３２０に接続される構成等でもよい。
【００８９】
また、上記実施形態の接触部３２５は、短壁部１２６のＺ軸方向の中央部に接触しているが、この構成に限定されず、短壁部１２６のＺ軸方向の端部に接触していてもよい。また、上記実施形態の蓄電装置１では、接触部３２５が、Ｙ軸方向の両側から蓄電素子１０に接触しているが、この構成に限定されず、Ｙ軸方向のいずれか一方の側から接触する構成であってもよい。
【００９０】
また、上記実施形態の対向部材３１は、四つの接触部３２５を有しているが、この構成に限定されない。対向部材３１は、接触部３２５を一〜三つ、又は五つ以上有していてもよい。また、複数の接触部３２５は、一対の終端部材３０の間を等間隔に区切る位置、又は、Ｘ軸方向において終端部材３０と第一隣接部材２１との間を等間隔に区切る位置に配置されていなくてもよい。この場合、全ての接触部３２５が前記位置に配置されていなくてもよく、一部の接触部３２５が前記位置に配置されていなくてもよい。
【００９１】
上記実施形態の蓄電装置１では、接触部３２５が、蓄電素子１０と接触しているが、この構成に限定されない。接触部３２５は、第三隣接部材２３及び該第三隣接部材２３と隣り合う（即ち、Ｙ−Ｚ面方向の動きが規制された）蓄電素子１０とに跨って（即ち、両方に）接触していてもよい。
【００９２】
上記実施形態の蓄電装置１では、接触部３２５は、間接的に蓄電素子１０に接触している、即ち、絶縁性を有するインシュレータ４を介して蓄電素子１０に接触している（図６及び図８参照）が、この構成に限定されない。接触部３２５は、絶縁性を有していれば、直接、蓄電素子１０に接触してもよい。
【００９３】
上記実施形態の蓄電装置１では、隣接部材２（第一〜第三隣接部材２１〜２３）が規制部（第一〜第三規制部２１２、２２２、２３２）によって該隣接部材２と隣接する蓄電素子１０のＹ−Ｚ面方向への移動を規制しているが、この構成に限定されない。隣接部材２は、該隣接部材２と隣接する蓄電素子１０のＹ−Ｚ面方向への移動を規制していなくてもよい。
【符号の説明】
【００９４】
１…蓄電装置、２…隣接部材、２１…第一隣接部材、２１１…第一本体部、２１１１…連結部、２１２…第一規制部、２１３…軸部、２１５…流路、２１６…凸部、２２…第二隣接部材、２２１…第二本体部、２２２…第二規制部、２２５…流路、２２６…凸部、２３…第三隣接部材、２３１…第三本体部、２３２…第三規制部、２３５…流路、３…保持部材、３０…終端部材、３００…本体、３０１…圧接部、３１…対向部材、３２…本体、３２０…梁部、３２１…第一連結部、３２２…第二連結部、３２２１…貫通孔、３２２２…貫通孔、３２３…第三連結部、３２５…接触部、３３…第一延設部、３４…第二延設部、３５…接続片、４…インシュレータ、４０…本体被覆部、４０１…第一本体被覆部、４０２…第二本体被覆部、４０３…第三本体被覆部、４０３０…本体、４０３１…第一凸部、４０３２…第二凸部、４０４…第四本体被覆部、４０５…第五本体被覆部、４１…第一被覆部、４２…第二被覆部、５…バスバ、５１…第一バスバ、５２…第二バスバ、１０…蓄電素子、１１…電極体、１２…ケース、１２０…ケース本体、１２１…蓋板、１２３…閉塞部、１２４…胴部、１２５…長壁部、１２６…短壁部、１３…外部端子、１４…外装シート、１５…絶縁部材、Ｂ…ボルト
【図１】
2018049786.tif 000003
【図２】
2018049786.tif 000004
【図３】
2018049786.tif 000005
【図４】
2018049786.tif 000006
【図５】
2018049786.tif 000007
【図６】
2018049786.tif 000008
【図７】
2018049786.tif 000009
【図８】
2018049786.tif 000010